(57)【要約】【課題】種々の径の整列コイルを形成することの可能な整列装置を提供する。【解決手段】外側治具１０は、セグメントコイル４の一方の足部４１が挿入可能な間隔をあけて放射状に配置される複数の仕切部材１１を有する。内側治具２０は、複数の仕切部材１１より径方向内側に配置され、セグメントコイル４の他方の足部４２が挿入される穴２２を有する複数の穴部材２１を有する。その複数の穴部材２１は、外側治具１０に対し整列コイル２の周方向に相対回転可能であり、且つ、整列コイル２の径方向に移動可能に構成されている。【選択図】図１
2020182339.tif 000002
【特許請求の範囲】
【請求項１】
互いに平行に延びる２本の足部（４１、４２）とその２本の足部を接続する接続部（４３）を有する複数のセグメントコイル（４）を環状に整列させて整列コイル（２）を形成する整列装置において、
前記セグメントコイルの一方の足部（４１）が挿入可能な間隔をあけて放射状に配置される複数の仕切部材（１１）を有する外側治具（１０）と、
複数の前記仕切部材より径方向内側に配置され、前記セグメントコイルの他方の足部（４２）が挿入される穴（２２）を有する複数の穴部材（２１）を有する内側治具（２０）と、を備え、
複数の前記穴部材は、前記外側治具に対し前記整列コイルの周方向に相対回転可能であり、且つ、前記整列コイルの径方向に移動可能に構成されている、整列装置。
【請求項２】
複数の前記穴部材の有する穴の内径は、前記セグメントコイルの他方の足部が、穴の内側で他方の足部の軸周りに回転可能な大きさに設定されている、請求項１に記載の整列装置。
【請求項３】
前記外側治具の有する複数の前記仕切部材の径方向内側の端面（１３）より径方向内側の位置から複数の前記穴部材側へ前記セグメントコイルを押圧する押圧部材（６０）をさらに備える請求項１または２に記載の整列装置。
【請求項４】
前記外側治具と前記内側治具は、
前記外側治具と前記内側治具とが同一方向に同じ回転角度で移動する第１動作と、
前記外側治具と前記内側治具とが相対回転する第２動作を行うことが可能に構成されている、請求項１ないし３のいずれか１つに記載の整列装置。
【請求項５】
前記セグメントコイルの一方の足部が複数の前記仕切部材同士の間の延長線上に配置され、他方の足部が前記穴部材の穴の延長線上に配置されるように前記セグメントコイルを載置する載置板（５１）と、
前記載置板に載せられた前記セグメントコイルの一方の足部が複数の前記仕切部材同士の間に挿入され、他方の足部が前記穴部材の穴に挿入されるように前記セグメントコイルを押圧するプッシャ（５２）と、
前記プッシャが前記セグメントコイルを押圧する際、前記載置板に載せられた前記セグメントコイルの他方の足部を摺動可能に支持しつつ、その他方の足部の少なくとも一部が前記穴部材の穴に挿入された後に足部を開放するように動作するコイルガイド（５３）と、をさらに備える請求項１ないし４のいずれか１つに記載の整列装置。
【請求項６】
前記内側治具の回転軸の一方から他方に向かい外径が次第に小さくなるテーパ面（３１）を有し、軸方向に移動可能なテーパ部材（３０）をさらに備え、
複数の前記穴部材の径方向内側の面は、前記内側治具の回転軸の一方から他方に向かい径方向外側から内側に向けて傾斜する傾斜面（２３）とされており、
前記テーパ部材が軸方向に移動すると、前記テーパ面と前記傾斜面とが摺接し、複数の前記穴部材が径方向に移動するように構成されている、請求項１ないし５のいずれか１つに記載の整列装置。
【請求項７】
請求項１に記載の整列装置を用いて前記整列コイルを形成する整列コイルの製造方法において、
前記セグメントコイルのうち前記整列コイルを構成する際に径方向内側に配置される足部の位置に合わせて複数の前記穴部材を前記整列コイルの径方向に移動し、複数の前記穴部材の位置を設定することと（Ｓ１）、
複数の前記穴部材と複数の前記仕切部材とを同一方向に同じ回転角度で移動しつつ、前記セグメントコイルの一方の足部を複数の前記仕切部材同士の間に挿入し、前記セグメントコイルの他方の足部を複数の前記穴部材の穴に挿入することと（Ｓ２〜Ｓ４）、
前記外側治具と前記内側治具とを相対回転し、前記セグメントコイルの一方の足部を複数の前記仕切部材に沿って径方向内側へ移動させることと（Ｓ５）、
前記セグメントコイルの一方の足部が複数の前記仕切部材よりも径方向内側へ移動した後、前記セグメントコイルをさらに複数の前記穴部材側へ近づけて複数の前記セグメントコイルを環状に整列させること（Ｓ６）を含む、整列コイルの製造方法。
【発明の詳細な説明】
【技術分野】
【０００１】
本発明は、整列コイルを形成する整列装置、および、整列コイルの製造方法に関するものである。
【背景技術】
【０００２】
従来、電動車両に搭載されるモータジェネレータ等の回転電機が知られている。この種の回転電機は、ステータのコイルを複数のセグメントコイルにより構成している。そのステータの製造過程では、ステータコアのスロットに複数のセグメントコイルを組み付ける工程の前に、複数のセグメントコイルを環状に整列させた整列コイルを形成する工程が含まれる。なお、整列コイルは、仮組コイルとも呼ばれる。
【０００３】
特許文献１には、所定の径の整列コイルを形成するための整列装置が記載されている。この整列装置で形成された整列コイルは、整列装置から取り外された後、径の異なる他の整列コイルと組み合され、ステータコアのスロットに組み付けられる。
【先行技術文献】
【特許文献】
【０００４】
【特許文献１】特開２０１３−１６５５４０号公報
【発明の概要】
【発明が解決しようとする課題】
【０００５】
ところで、ステータコアのスロットに組み付けられる整列コイルは、スロットの径方向内側から径方向外側に向かい次第に径の大きいものとなる。これに対し、特許文献１に記載の整列装置は、所定の径の整列コイルのみを形成するものである。そのため、所定のステータのスロットに組み付けるために径の異なる複数の整列コイルを形成する場合、その径の異なる複数の整列コイルそれぞれに対応した複数の整列装置が必要となる。また、その所定のステータとは別の径および体格のステータのスロットに組み付けるために径の異なる複数の整列コイルを形成する場合にも、その径の異なる複数の整列コイルそれぞれに対応した複数の整列装置が必要となる。そのため、複数の整列装置をそれぞれ設置した複数の専用設備が必要となる。したがって、この特許文献１に記載の整列装置を用いると、専用設備の台数が増加し、製造コストが増加するおそれがある。
【０００６】
本発明は上記点に鑑みて、種々の径の整列コイルを形成することの可能な整列装置、およびその整列装置を用いた整列コイルの製造方法を提供することを目的とする。
【課題を解決するための手段】
【０００７】
上記目的を達成するため、請求項１に係る発明は、互いに平行に延びる２本の足部（４１、４２）とその２本の足部を接続する接続部（４３）を有する複数のセグメントコイル（４）を環状に整列させて整列コイル（２）を形成する整列装置である。整列装置は、外側治具（１０）と内側治具（２０）を備える。外側治具は、セグメントコイルの一方の足部（４１）が挿入可能な間隔をあけて放射状に配置される複数の仕切部材（１１）を有する。内側治具は、複数の仕切部材より径方向内側に配置され、セグメントコイルの他方の足部（４２）が挿入される穴（２２）を有する複数の穴部材（２１）を有する。その複数の穴部材は、外側治具に対し整列コイルの周方向に相対回転可能であり、且つ、整列コイルの径方向に移動可能に構成されている。
【０００８】
これによれば、整列装置は、次のように動作して整列コイルを形成する。まず、セグメントコイルのうち整列コイルを構成する際に径方向内側に配置される足部の位置に合わせて複数の穴部材の位置を設定する。次に、全てのセグメントコイルについて、一方の足部を複数の仕切部材同士の間に挿入し、他方の足部を複数の穴部材の穴に挿入する。続いて、外側治具と内側治具とを相対回転し、セグメントコイルの一方の足部を、複数の仕切部材に沿って径方向内側へ移動させる。そして、全てのセグメントコイルの一方の足部が複数の仕切部材よりも径方向内側へ移動した後、その全てのセグメントコイルの一方の足部をさらに複数の穴部材側へ近づけて全てのセグメントコイルを環状に整列させる。これにより、整列装置は、整列コイルを形成することが可能である。
【０００９】
このように、請求項１に記載の整列装置は、複数の穴部材の位置を、セグメントコイルのうち整列コイルを構成する際に径方向内側に配置される足部の位置に合わせて設定することで、種々の径の整列コイルを形成することが可能である。すなわち、この整列装置を設置した設備により、所定の電機子のスロットに設けられる複数の径の整列コイルを形成することが可能である。さらに、異なる径および体格の電機子のスロットに設けられる複数の径の整列コイルを形成することも可能である。そのため、この整列装置を用いることで、特定の径の整列コイルのみを形成するための専用設備を廃し、種々の径の整列コイルを形成可能な共通の設備に代えることが可能である。したがって、この整列装置により、整列コイルを形成するための設備の台数を少なくし、製造コストを低減することができる。
【００１０】
請求項７に係る発明は、請求項１に記載の整列装置を用いて整列コイルを形成する整列コイルの製造方法に関する。この製造方法は次の工程を含むものである。その工程は、まず、セグメントコイルのうち整列コイルを構成する際に径方向内側に配置される足部の位置に合わせて複数の穴部材を整列コイルの径方向に移動し、複数の穴部材の位置を設定する（Ｓ１）。次に、複数の穴部材と複数の仕切部材とを同一方向に同じ回転角度で移動しつつ、セグメントコイルの一方の足部を複数の仕切部材同士の間に挿入し、セグメントコイルの他方の足部を複数の穴部材の穴に挿入する（Ｓ２〜Ｓ４）。続いて、外側治具と内側治具とを相対回転し、セグメントコイルの一方の足部を複数の仕切部材に沿って径方向内側へ移動させる（Ｓ５）。そして、セグメントコイルの一方の足部が複数の仕切部材よりも径方向内側へ移動した後、セグメントコイルをさらに複数の穴部材側へ近づけて複数のセグメントコイルを環状に整列させる（Ｓ６）。
これにより、請求項７に係る発明も、請求項１と同様の作用効果を奏することができる。
【００１１】
なお、各構成要素等に付された括弧付きの参照符号は、その構成要素等と後述する実施形態に記載の具体的な構成要素等との対応関係の一例を示すものである。
【図面の簡単な説明】
【００１２】
【図１】第１実施形態に係る整列装置、および、整列装置により形成された整列コイルの斜視図である。
【図２】第１実施形態に係る整列装置により形成された整列コイルがステータコアのスロットに挿入された状態を示す平面図である。
【図３】ステータコアのスロットの中で径方向内側に設けられるセグメントコイルを示す側面図である。
【図４】ステータコアのスロットの中で径方向外側に設けられるセグメントコイルを示す側面図である。
【図５】整列コイルを構成する複数のセグメントコイルのうち３本のみを示す斜視図である。
【図６】第１実施形態に係る整列装置が備える外側治具と内側治具を示す平面図である。
【図７】第１実施形態に係る整列装置が備える外側治具と内側治具を示す平面図である。
【図８】第１実施形態に係る整列装置が備える外側治具、内側治具およびテーパ部材を示す斜視図である。
【図９】第１実施形態に係る整列装置において内側治具とテーパ部材の動作を説明するための説明図である。
【図１０】第１実施形態に係る整列装置において内側治具とテーパ部材の動作を説明するための説明図である。
【図１１】第１実施形態に係る整列装置が備える外側治具、内側治具および載置板などを示す斜視図である。
【図１２】第１実施形態による整列コイルの製造方法の説明図である。
【図１３】第１実施形態による整列コイルの製造方法の説明図である。
【図１４】第１実施形態による整列コイルの製造方法の説明図である。
【図１５】第１実施形態による整列コイルの製造方法の説明図である。
【図１６】第１実施形態による整列コイルの製造方法の説明図である。
【図１７】第１実施形態による整列コイルの製造方法の説明図である。
【図１８】第１実施形態による整列コイルの製造方法の説明図である。
【図１９】第１実施形態による整列コイルの製造方法の説明図である。
【図２０】第１実施形態による整列コイルの製造方法の説明図である。
【図２１】第１実施形態による整列コイルの製造方法を説明するためのフローチャートである。
【図２２】第２実施形態に係る整列装置において内側治具とカム機構の動作を説明するための説明図である。
【図２３】第２実施形態に係る整列装置において内側治具とカム機構の動作を説明するための説明図である。
【図２４】図２３のＸＸＩＶ―ＸＸＩＶ線の断面図である。
【発明を実施するための形態】
【００１３】
以下、本発明の実施形態について図面を参照しつつ説明する。なお、以下の各実施形態相互において、互いに同一もしくは均等である部分には、同一符号を付し、その説明を省略する。
【００１４】
（第１実施形態）
第１実施形態について図面を参照しつつ説明する。本実施形態の整列装置は、回転電機の電機子（例えばステータ）のスロットに複数のセグメントコイルを組み付ける前の工程で、その複数のセグメントコイルを環状に整列させた整列コイルを形成するものである。この整列装置は、整列コイルを形成するための図示しない設備の一部に設置されるものである。
【００１５】
図１は、第１実施形態に係る整列装置１と、その整列装置１により形成された１個の整列コイル２が整列装置１から取り出された状態を示している。この整列コイル２は、後の工程で径の異なる他の整列コイル２と組み合され、ステータコアのスロットに組み付けられる。なお、図１に示した整列コイル２は、４８本のセグメントコイル４により構成されている。ただし、整列コイル２を構成するセグメントコイル４の数は、これに限るものではない。
【００１６】
図２は、第１実施形態に係る整列装置１により形成された４個の整列コイル２がステータコア３のスロットに挿入された状態を示している。４個の整列コイル２は、それぞれ径が異なるものである。具体的には、４個の整列コイル２の径は、ステータコア３のスロットの中で径方向内側に配置されるものに対し、径方向外側に配置されるものが次第に大きいものとされている。
【００１７】
図３は、ステータコア３のスロットの中で径方向内側に配置される整列コイル２を構成するセグメントコイル４を示している。一方、図４は、ステータコア３のスロットの中で径方向外側に配置される整列コイル２を構成するセグメントコイル４を示している。いずれのセグメントコイル４も、略Ｕ字形に形成され、互いに平行に延びる２本の足部４１、４２と、その２本の足部４１、４２を接続する接続部４３を有している。図３に示したセグメントコイル４の２本の足部４１、４２同士の間隔Ｄ１は、図４に示したセグメントコイル４の２本の足部４１、４２同士の間隔Ｄ２より狭い。すなわち、セグメントコイル４の２本の足部４１、４２同士の間隔は、ステータコア３のスロットの中で径方向内側に配置されるものが狭く、径方向内側に配置されるものが広い。
【００１８】
図４は、整列コイル２を構成する複数のセグメントコイル４のうち３本のみを示している。図４に示すように、セグメントコイル４の接続部４３の中央には、クランク部４４が設けられている。クランク部４４は、ステータの径方向に屈曲し、且つ、ステータの軸方向に屈曲する部位である。これにより、整列コイル２を構成する複数のセグメントコイル４は、周方向の一方に位置するセグメントコイル４のうちクランク部４４より周方向の一方の部位の下側に、周方向の他方に位置するセグメントコイル４のうちクランク部４４より周方向の一方の部位が入り込む形となる。また、複数のセグメントコイル４は、周方向の一方に位置するセグメントコイル４のうちクランク部４４より周方向の他方の部位の上側に、周方向の他方に位置するセグメントコイル４のうちクランク部４４より周方向の他方の部位が乗り上げる形となる。
【００１９】
なお、以下の説明では、セグメントコイル４の２本の足部４１、４２のうち、整列コイル２を構成したときに径方向外側に配置される足部を「一方の足部４１」といい、径方向内側に配置される足部を「他方の足部４２」という。また、以下の説明では、整列装置１の周方向、径方向、軸方向を単に周方向、径方向、軸方向という。なお、整列装置１の周方向、径方向、軸方向と、その整列装置１により形成される整列コイル２の周方向、径方向、軸方向とは一致している。
【００２０】
次に、整列装置１の構成について説明する。
図１、図６および図７に示すように、整列装置１は、外側治具１０および内側治具２０などを備えている。
外側治具１０は、複数の仕切部材１１と、その複数の仕切部材１１同士を連結する連結部１２を有している。複数の仕切部材１１は、板状に形成され、セグメントコイル４の一方の足部４１が挿入可能な間隔を空けて放射状に配置されている。複数の仕切部材１１の径方向内側の端面１３は、この整列装置１により形成される整列コイル２の外径よりも径方向外側に位置している。また、複数の仕切部材１１の径方向内側の端面１３同士の間は、セグメントコイル４の一方の足部４１が通過することが可能な開口となっている。外側治具１０は、４８個の仕切部材１１を有している。ただし、外側治具１０の有する仕切部材１１の数は、これに限るものではない。また、外側治具１０は、図示しない回転機構の駆動により、周方向に回転可能である。
【００２１】
内側治具２０は、円環状に配置される複数の穴部材２１を有している。複数の穴部材２１は、複数の仕切部材１１の径方向内側の端面１３よりも径方向内側に配置されている。複数の穴部材２１はそれぞれ、セグメントコイル４の他方の足部４２が挿入される穴２２を有している。穴部材２１の有する穴２２の内径は、そこに挿入されるセグメントコイル４の他方の足部４２が、穴２２の内側で、他方の足部４２の軸周りに回転可能な大きさに設定されている。
【００２２】
内側治具２０が有する複数の穴部材２１は、図示しない回転機構の駆動により、周方向に回転可能である。内側治具２０が有する複数の穴部材２１の回転軸と、外側治具１０の有する複数の仕切部材１１の回転軸とは、一致している。
内側治具２０と外側治具１０は、同一方向に同じ回転角度で移動することが可能である。以下の説明では、その動作を第１動作ということがある。
また、外側治具１０と内側治具２０とは、相対回転することも可能である。以下の説明では、その動作を第２動作ということがある。
【００２３】
さらに、本実施形態では、内側治具２０が有する複数の穴部材２１はそれぞれ図示しないガイドレール等に案内され、径方向に移動可能に構成されている。図６は、複数の穴部材２１が、円環状に配置され、且つ、径方向内側に位置している状態を示している。これに対し、図７は、複数の穴部材２１が、円環状に配置され、且つ、径方向外側に位置している状態を示している。このように、複数の穴部材２１は、円環状に配置され、且つ、径方向に移動可能である。したがって、複数の穴部材２１は、整列コイル２の径に合わせて径方向の位置を変えることができる。
【００２４】
図６では、複数の穴部材２１のうち径方向の一方に配置されている穴部材２１の有する穴２２の中心と、径方向の他方に配置されている穴部材２１の有する穴２２の中心との距離ＤＨ１を示している。また、図７では、複数の穴部材２１のうち径方向の一方に配置されている穴部材２１の有する穴２２の中心と、径方向の他方に配置されている穴部材２１の有する穴２２の中心との距離ＤＨ２を示している。
【００２５】
図６に示した距離ＤＨ１は、図７に示した距離ＤＨ２より小さい。そして、それらの距離ＤＨ１、ＤＨ２は、整列コイル２の径方向の一方に配置されるセグメントコイル４の径方向内側の足部４２と、整列コイル２の径方向の他方に配置されるセグメントコイル４の径方向内側の足部４２との距離に相当する。このように、本実施形態の整列装置１は、複数の穴部材２１の穴２２の位置を、セグメントコイル４のうち整列コイル２を構成する際に径方向内側に配置される足部４２の位置に合わせて設定することで、種々の径の整列コイル２を形成することが可能である。
【００２６】
図８〜図１０に示すように、複数の穴部材２１の移動方法として、例えば、テーパ部材３０を用いた移動方法が挙げられる。テーパ部材３０は、内側治具２０の回転軸方向の一方から他方に向かい次第に外径が小さくなるように形成されたテーパ面３１を有している。テーパ部材３０は、図示しない駆動機構により軸方向に移動可能に構成されている。そして、テーパ部材３０は、複数の穴部材２１の内側に挿入可能に設けられている。
【００２７】
一方、複数の穴部材２１の径方向内側の面は、内側治具２０の回転軸方向の一方から他方に向かい径方向外側から内側に向けて傾斜する傾斜面２３とされている。そのため、図９および図１０に示すように、テーパ部材３０が軸方向に移動すると、テーパ面３１と傾斜面２３とが摺接し、複数の穴部材２１が径方向に移動する。なお、図９および図１０では、テーパ部材３０が移動する方向を矢印Ａで示し、複数の穴部材２１が移動する方向を矢印Ｂで示している。これにより、複数の穴部材２１は、円環状に並んだ状態で径方向に移動する。
【００２８】
さらに、図１１に示すように、整列装置１は、挿入機構５０を備えている。挿入機構５０は、載置板５１、プッシャ５２、コイルガイド５３等により構成されている。
載置板５１は、外側治具１０および内側治具２０に挿入する前のセグメントコイル４を載置するための板部材である。具体的には、載置板５１は、セグメントコイル４の一方の足部４１が複数の仕切部材１１同士の間の延長線上に配置され、他方の足部４２が穴部材２１の穴２２の延長線上に配置されるようにセグメントコイル４を載置する。
【００２９】
プッシャ５２は、載置板５１に載せられたセグメントコイル４を、外側治具１０および内側治具２０に向けて押圧する部材である。具体的には、プッシャ５２は、載置板５１に載せられたセグメントコイル４の一方の足部４１を複数の仕切部材１１同士の間に挿入し、他方の足部４２を穴部材２１の穴２２に挿入するようにセグメントコイル４を押圧する。
【００３０】
コイルガイド５３は、載置板５１に載せられたセグメントコイル４の他方の足部４２を穴２２に案内するための部材である。コイルガイド５３は、プッシャ５２がセグメントコイル４を押圧する際、載置板５１に載せられたセグメントコイル４の他方の足部４２を摺動可能に支持する。そして、コイルガイド５３は、その他方の足部４２の少なくとも一部が穴部材２１の穴２２に挿入された後に足部４２を開放するように動作する。これにより、挿入機構５０は、載置板５１、プッシャ５２およびコイルガイド５３により、セグメントコイル４の一方の足部４１を複数の仕切部材１１同士の間に挿入し、他方の足部４２を穴部材２１の穴２２に正確に挿入することが可能である。
【００３１】
さらに、図１９および図２０に示すように、整列装置１は、押圧部材としてのローラ６０を備えている。ローラ６０は、複数の仕切部材１１の径方向内側の端面１３より径方向内側の位置から複数の穴部材２１側へセグメントコイル４を押圧するための部材である。
【００３２】
続いて、整列装置１の動作について図１２〜図２０を参照して説明する。なお、この整列装置１の動作の説明および図１２〜図１７では、１本目、２本目、３本目のセグメントコイル４に対し、それぞれ符号４ａ、４ｂ、４ｃを付すものとする。
また、図１３〜図１６、図１８、図１９では、内側治具２０の回転方向を矢印Ｒ１で示す。図１３〜図１６では、外側治具１０の回転方向を矢印Ｒ２で示す。
そして、図１２〜図１７では、外側治具１０と内側治具２０がそれぞれ回転していることを示すため、外側治具１０が有する連結部１２の所定の位置に○印を記載し、内側治具２０が有する所定の穴部材２１に×印を記載している。
【００３３】
まず、図１２に示すように、１本目のセグメントコイル４ａの一方の足部４１を複数の仕切部材１１同士の間に挿入し、他方の足部４２を穴部材２１の穴２２に挿入する。なお、セグメントコイル４の挿入は、上述した挿入機構５０により行われる。
【００３４】
次に、図１３に示すように、外側治具１０と内側治具２０を同一方向に、周方向に隣り合う仕切部材１１同士の角度分（以下、「１ピッチ」という）、回転させる。すなわち、外側治具１０と内側治具２０は、上述した第１動作を行う。
続いて、図１４に示すように、２本目のセグメントコイル４ｂの一方の足部４１を複数の仕切部材１１同士の間に挿入し、他方の足部４２を穴部材２１の穴２２に挿入する。
【００３５】
次に、図１５に示すように、外側治具１０と内側治具２０を同一方向に１ピッチ回転させる。
続いて、図１６に示すように、３本目のセグメントコイル４ｃの一方の足部４１を複数の仕切部材１１同士の間に挿入し、他方の足部４２を穴部材２１の穴２２に挿入する。
このようにして、外側治具１０と内側治具２０を同一方向に１ピッチずつ回転させながら、４本目以降のセグメントコイル４も順に挿入してゆく。図１７は、全てのセグメントコイル４を挿入した状態を示している。
【００３６】
次に、図１８に示すように、外側治具１０を停止させた状態で、内側治具２０のみを回転する。これにより、外側治具１０と内側治具２０とは相対回転する。すなわち、外側治具１０と内側治具２０は、上述した第２動作を行う。この動作により、複数の仕切部材１１同士の間に挿入されている全てのセグメントコイル４の一方の足部４１は、複数の仕切部材１１に沿って径方向内側へ移動する。そのとき、穴部材２１の穴２２に挿入されている全てのセグメントコイル４の他方の足部４２は、穴２２の内側で、他方の足部４２の軸周りに回転する。
【００３７】
図１９に示すように、内側治具２０が所定角度回転すると、全てのセグメントコイル４の一方の足部４１は、複数の仕切部材１１の径方向内側の端面１３よりも径方向内側へ移動する。次に、整列装置１は、押圧部材としてのローラ６０により、セグメントコイル４を径方向内側（すなわち、穴部材２１側）へ押圧する。図１９では、ローラ６０がセグメントコイル４を押圧する方向を、矢印Ｃで示している。整列装置１は、ローラ６０によりセグメントコイル４を径方向内側へ押圧しつつ、内側治具２０を回転させる。これにより、全てのセグメントコイル４の一方の足部４１は複数の穴部材２１側へ近づいてゆく。
そして、図２０に示すように、全てのセグメントコイル４は環状に整列した状態となり、整列コイル２が完成する。
【００３８】
次に、整列コイル２の製造方法について、図２１のフローチャートを参照して説明する。
まず、ステップＳ１で、図８〜図１０に示したように、所定の径の整列コイル２を形成するため、その所定の整列コイル２の径に対応するよう、複数の穴部材２１の位置を設定する。具体的には、複数のセグメントコイル４のうち整列コイル２を構成する際に径方向内側に配置される足部４２の位置に合わせて複数の穴部材２１を径方向に移動し、複数の穴部材２１の穴２２の位置を設定する。
【００３９】
次に、ステップＳ２で、図１２等に示したように、セグメントコイル４の一方の足部４１を複数の仕切部材１１同士の間に挿入し、他方の足部４２を穴部材２１の穴２２に挿入する。
続いて、ステップＳ３で、図１３等に示したように、外側治具１０と内側治具２０を同一方向に１ピッチ回転する。
次のステップＳ４で、全てのセグメントコイル４の挿入が完了していないと判定される場合、ステップＳ２とステップＳ３の工程を繰り返し行う。すなわち、図１４〜図１６に示したように、ステップＳ２で説明した１本のセグメントコイル４を所定の位置に挿入する工程と、ステップＳ３で説明した外側治具１０と内側治具２０を同一方向に１ピッチ回転する工程を繰り返し行う。
【００４０】
一方、ステップＳ４で、図１７に示したように、整列コイル２を構成する全てのセグメントコイル４の挿入が完了し、全てのセグメントコイル４が外側治具１０と内側治具２０に収容されていることが判定された場合、ステップＳ５に移行する。
【００４１】
ステップＳ５では、図１８に示したように、外側治具１０を停止させた状態で、内側治具２０のみを回転する。これにより、複数の仕切部材１１同士の間に挿入されている全てのセグメントコイル４の一方の足部４１が、複数の仕切部材１１に沿って径方向内側へ移動する。そのとき、穴部材２１の穴２２に挿入されている全てのセグメントコイル４の他方の足部４２は、穴２２の内側で、他方の足部４２の軸周りに回転する。
【００４２】
続いて、ステップＳ６では、図１９に示したように、ローラ６０により、セグメントコイル４を径方向内側（すなわち、穴部材２１側）へ押圧しつつ、内側治具２０を回転させる。これにより、全てのセグメントコイル４の一方の足部４１は複数の穴部材２１側へ近づいてゆく。その結果、図２０に示したように、整列コイル２が完成する。
【００４３】
次に、ステップＳ７では、整列コイル２を図示しないチャック治具により一括で掴み、外側治具１０と内側治具２０から整列コイル２を取り出す。その整列コイル２は、図１に示した状態ものである。その後の工程で、整列コイル２は、径の異なる他の整列コイル２と組み合され、ステータコア３のスロットに組み付けられる。
【００４４】
以上説明した本実施形態の整列装置１は、複数の穴部材２１の位置を、セグメントコイル４のうち整列コイル２を構成する際に径方向内側に配置される足部４２の位置に合わせて設定することで、種々の径の整列コイル２を形成することが可能である。すなわち、この整列装置１を設置した設備により、所定の電機子のスロットに設けられる複数の径の整列コイル２を形成することが可能である。さらに、異なる径および体格の電機子のスロットに設けられる複数の径の整列コイル２を形成することも可能である。そのため、この整列装置１を用いることで、特定の径の整列コイル２のみを形成するための専用設備を廃し、種々の径の整列コイル２を形成可能な共通の設備に代えることが可能である。したがって、この整列装置１により、整列コイル２を形成するための設備の台数を少なくし、製造コストを低減することができる。
【００４５】
また、本実施形態の整列コイル２の製造方法も、上記と同様に、種々の径の整列コイル２を形成するための設備の台数を少なくし、製造コストを低減することができる。
【００４６】
（第２実施形態）
第２実施形態について説明する。第２実施形態は、第１実施形態に対して内側治具２０の有する複数の穴部材２１の移動方法の別の例を示すものであり、その他については第１実施形態と同様であるため、第１実施形態と異なる部分についてのみ説明する。
【００４７】
図２２〜図２４に示すように、第２実施形態では、内側治具２０の有する複数の穴部材２１は、カム機構７０により径方向に移動可能に構成されている。
具体的には、内側治具２０の軸方向の一方には回転盤７１が設けられている。その回転盤７１には、カム溝７２が設けられている。そのカム溝７２は、回転盤７１の径方向に対して斜めに延びている。一方、内側治具２０の有する複数の穴部材２１のうち回転盤７１側の端部には突起２５が設けられている。その穴部材２１に設けられた突起２５は、回転盤７１のカム溝７２に挿入されている。
この構成により、図２２の状態から回転盤７１が矢印Ｅの方向に回転すると、複数の穴部材２１は矢印Ｆに示すように径方向外側に移動し、図２３の状態となる。
一方、図２３の状態から回転盤７１が矢印Ｇの方向に回転すると、複数の穴部材２１は矢印Ｈに示すように径方向内側に移動し、図２２の状態となる。
【００４８】
このように、第２実施形態においても、内側治具２０の有する複数の穴部材２１の位置を、セグメントコイル４のうち整列コイル２を構成する際に径方向内側に配置される足部の位置に合わせて設定することが可能である。したがって、第２実施形態の整列装置１も、第１実施形態と同様の作用効果を奏することができる。
【００４９】
（他の実施形態）
本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００５０】
（１）上記各実施形態において、内側治具２０の有する複数の穴部材２１は、テーパ部材３０またはカム機構７０により径方向に移動する構成としたが、これに限るものではない。複数の穴部材２１は、例えば、図示しないアクチュエータにより径方向に移動する構成としてもよい。
【００５１】
（２）上記各実施形態において、整列コイル２の製造方法のステップＳ２、Ｓ３では、外側治具１０と内側治具２０を同一方向に１ピッチずつ回転させながら、セグメントコイル４を１本ずつ挿入したが、これに限るものではない。例えば、セグメントコイル４は、複数本を同時に挿入してもよい。
【００５２】
（３）上記各実施形態において、整列コイル２の製造方法のステップＳ５では、外側治具１０を停止させた状態で、内側治具２０のみを回転したが、これに限るものではない。上記実施形態において内側治具２０が回転した方向を正方向とした場合、例えば、内側治具２０を停止させた状態で、外側治具１０を逆方向に回転させてもよい。または、内側治具２０を正方向に回転させ、外側治具１０を逆方向に回転させてもよい。
【００５３】
（４）上記各実施形態において、整列コイル２の製造方法のステップＳ６では、ローラ６０により、セグメントコイル４を径方向内側へ押圧しつつ、内側治具２０を回転させたが、これに限るものではない。例えば、ローラ６０により、セグメントコイル４を径方向内側へ押圧しつつ、そのローラ６０を内側治具２０の周方向に回転させてもよい。
【００５４】
（５）上記各実施形態において、複数の穴部材２１の有する穴２２の内径は、セグメントコイル４の他方の足部４２が、穴２２の内側で他方の足部４２の軸周りに回転可能な大きさに設定したが、これに限るものではない。例えば、セグメントコイル４の他方の足部４２と共にそれぞれの穴部材２１が個々に回転する構成としてもよい。
【００５５】
（４）上記実施形態では、整列コイルが組み付けられる電機子としてステータを例示したが、これに限らず、整列コイルが組み付けられる電機子はロータであってもよい。
【符号の説明】
【００５６】
１    整列装置
２    整列コイル
４    セグメントコイル
１０  外側治具
１１  仕切部材
２０  内側治具
２１  穴部材
２２  穴
４１  一方の足部
４２  他方の足部
【図１】
2020182339.tif 000003
【図２】
2020182339.tif 000004
【図３】
2020182339.tif 000005
【図４】
2020182339.tif 000006
【図５】
2020182339.tif 000007
【図６】
2020182339.tif 000008
【図７】
2020182339.tif 000009
【図８】
2020182339.tif 000010
【図９】
2020182339.tif 000011
【図１０】
2020182339.tif 000012
【図１１】
2020182339.tif 000013
【図１２】
2020182339.tif 000014
【図１３】
2020182339.tif 000015
【図１４】
2020182339.tif 000016
【図１５】
2020182339.tif 000017
【図１６】
2020182339.tif 000018
【図１７】
2020182339.tif 000019
【図１８】
2020182339.tif 000020
【図１９】
2020182339.tif 000021
【図２０】
2020182339.tif 000022
【図２１】
2020182339.tif 000023
【図２２】
2020182339.tif 000024
【図２３】
2020182339.tif 000025
【図２４】
2020182339.tif 000026